(57)【要約】      （修正有）【課題】場所を取られることがなく室内外における空間を確保し、かつ、自由に活用することが可能となってより美観に優れた空間を実現して、室内外の装飾等に資する埋込型装飾灯器具の提供を図る。【解決手段】内部に光源Ｅを有し、壁面Ｗに埋め込むようにして取り付けられる側面開口部３を設けた筺型の器具本体２と、該器具本体の開口部を閉塞する取外し自在の装飾用プレートＤとからなる構成を採用する。【選択図】図２
0003104169.tif 000002
【実用新案登録請求の範囲】
【請求項１】
内部に光源を有し、壁面に埋め込むようにして取り付けられる側面開口部を設けた筺型の器具本体と、該器具本体の開口部を閉塞する取外し自在の装飾用プレートとからなることを特徴とする埋込型装飾灯器具。
【請求項２】
前記開口部が器具本体の対抗する両側面に設けられていることを特徴とする請求項１に記載の埋込型装飾灯器具。
【請求項３】
前記器具本体における開口部の下端に装飾物品を置くための置台を一体的に備えたことを特徴とする請求項１または請求項２に記載の埋込型装飾灯器具。
【考案の詳細な説明】
【技術分野】
【０００１】
本考案は、壁面に埋め込むようにして取り付けられる装飾灯器具に関するものである。
【背景技術】
【０００２】
従来から、天井や壁面に埋込み式の照明器具は多数存在する。しかしながら、かかる従来の照明器具は、その用途から専ら室内又は室外を照らすことを目的としており、室内外の装飾等には全く資するものではない。
【０００３】
また、室内外の装飾等を目的とする照明器具も従来から多数存在するが、それらは天井や壁面に埋め込むタイプのものではなく、室内外の所定の位置に置かれてコードによりコンセントから電源を引き入れる構成となっている。かかる従来の装飾用の照明器具によると、置く場所をある程度自由に選択できるという利点はあるが、照明器具を置くための場所を取られ、また、電源を引き入れるコードが邪魔であり、うっかりして人がコードに足を引っ掛けて転倒する危険が生じかねない。
【特許文献１】特開２００２−２８９０２５号公報
【特許文献２】実開平６−８４６２９号公報
【考案の開示】
【考案が解決しようとする課題】
【０００４】
上記問題点に鑑み、本考案は、場所を取らず、かつ、室内外の装飾等に資する埋込型装飾灯器具を提供することを目的とする。
【課題を解決するための手段】
【０００５】
前記目的を達成するため、本考案は、内部に光源を有し、壁面に埋め込むようにして取り付けられる側面開口部を設けた筺型の器具本体と、該器具本体の開口部を閉塞する取外し自在の装飾用プレートとからなる構成を有する埋込型装飾灯器具である。
【０００６】
また、本考案は、前記開口部が器具本体の対抗する両側面に設けられている構成を採用することができる。
【０００７】
さらに、本考案は、前記器具本体における開口部の下端に装飾物品を置くための置台を一体的に備えた構成を採ることもできる。
【考案の効果】
【０００８】
本考案にかかる埋込型装飾灯器具によれば、従来のように場所を取られることがなく室内外における空間を確保し、かつ、その空間を自由に活用することが可能となり、より美観に優れた空間を実現することができるといった効果を奏する。
【０００９】
また、本考案にかかる埋込型装飾灯器具によれば、電源を引き入れるためのコードが不要であるため、従来のような人がうっかり足を引っかけて転倒する危険がない。
【００１０】
さらに、本考案にかかる埋込型装飾灯器具によれば、開口部に装飾用プレートが配されるため、それを観た者の美観を刺激し、また、該装飾用プレートは取外し自在となっているため、室内外の雰囲気や季節に合わせた装飾を施したり、文字入りの装飾用プレートを配することで、店頭看板等の役目を果たさせることも可能であるといった効果を奏する。
【考案を実施するための最良の形態】
【００１１】
以下、本考案にかかる埋込型装飾灯器具を図面に基づいて説明する。
【００１２】
図１は、本考案にかかる埋込型装飾灯器具１の第一の実施形態を示す斜視図である。該埋込型装飾灯器具１は、筺型の器具本体２の内部に光源Ｅを有し、また、その筺型の器具本体２の側面には開口部３が設けられてあって、その開口部３には装飾用プレートＤを配した構成となっている。尚、図面では開口部３の周囲に飾り木４が設けられているが、特に設けることに限定されない。
【００１３】
本考案にかかる埋込型装飾灯器具１は内部に光源Ｅを有することから、その光源Ｅから発する光が装飾用プレートＤを照らして、外部にいる者の美観を刺激させることとなる。そして、装飾用プレートＤは取外し自在となっていることから、該装飾用プレートＤを付替えることで、雰囲気や季節に合わせて様々な美観を奏することができる。
【００１４】
装飾用プレートＤの形態については特に限定はなく、障子枠と障子紙による和風調の装飾を施したり装飾絵柄を施す等、様々な形態が考えられる。また、装飾用プレートＤに文字を入れることにより、店頭における看板やお品書き等、情報伝達の役目を果たさせることも可能である。
【００１５】
図２は、本考案の第一の実施形態にかかる埋込型装飾灯器具１を実際に壁Ｗに埋め込んだ状態を示す部分断面図である。壁Ｗには、該埋込型装飾灯器具１を嵌合させるための窪みが予め設けてあり、そこへ器具本体２が嵌合される。器具本体２の上面及び下面における開口部３に近い箇所には、装飾用プレートＤを取り付けるための上溝５及び下溝６が設けられている。上溝５は下溝６よりも深く形成されており、装飾用プレートＤの取付け・取外しに資するようになっている。
【００１６】
図３は、本考案にかかる埋込型装飾灯器具１の第二の実施形態を示す斜視図である。該埋込型装飾灯器具１は、筺型の器具本体２の内部に光源Ｅを有し、また、その筺型の器具本体２の対抗する両側面に開口部３を設けることで器具本体２は筒状となり、その両開口部３には共に装飾用プレートＤが配されている構成となっている。尚、図面では開口部３の周囲に飾り木４が設けられているが、第一の実施形態と同様、特に設けることに限定されない。
【００１７】
器具本体２の対抗する両側面の開口部３に装飾用プレートＤを配することから、壁を挟んで隣り合う二空間を本考案にかかる一の埋込型装飾灯器具１で装飾することが可能となる。そして、該装飾用プレートＤはそれぞれ別個に取付け・取外しが可能であり、それぞれの空間に合わせた装飾等をすることができることは言うまでもない。
【００１８】
図４は、本考案の第二の実施形態にかかる埋込型装飾灯器具１を実際に壁Ｗに埋め込んだ状態を示す部分断面図である。壁Ｗには、該埋込型装飾灯器具１を嵌合させるための貫通孔が予め設けてあり、そこへ器具本体２が嵌合される。器具本体２の上面及び下面における両開口部３に近い箇所には、装飾用プレートＤを取り付けるための上溝５及び下溝６がそれぞれ設けられている。尚、上溝５が下溝６よりも深く形成されていることは第一の実施形態と同様である。
【００１９】
図５は、本考案にかかる埋込型装飾灯器具１の第三の実施形態を示す斜視図である。該埋込型装飾灯器具１は、筺型の器具本体２の内部に光源Ｅを有し、また、その筺型の器具本体２の側面には開口部３が設けられてあって、その開口部３には装飾用プレートＤを配するとともに、開口部３の下端には装飾物品を置くための置台７を一体的に備えた構成となっている。尚、図面では開口部３の周囲に飾り木４が設けられているが、第一及び第二の実施形態と同様、特に設けることに限定されない。
【００２０】
開口部３の下端に一体的に備えられた置台７には、装飾用プレートＤとは別に、さらに観る者の美観を刺激するような装飾物品等、例えば花瓶や一輪挿し、人形などが置かれる。これにより、埋込型装飾灯器具１の内部にある光源Ｅから発せられた光が該装飾物品等にとってバックライトとなって、また、装飾用プレートＤとの相乗効果も伴って、より美観に優れた空間を実現することができる。
【図面の簡単な説明】
【００２１】
【図１】本考案にかかる埋込型装飾灯器具の第一の実施形態を示す斜視図である。
【図２】本考案の第一の実施形態にかかる埋込型装飾灯器具を実際に壁に埋め込んだ状態を示す部分断面図である。
【図３】本考案にかかる埋込型装飾灯器具の第二の実施形態を示す斜視図である。
【図４】本考案の第二の実施形態にかかる埋込型装飾灯器具を実際に壁に埋め込んだ状態を示す部分断面図である。
【図５】本考案にかかる埋込型装飾灯器具の第三の実施形態を示す斜視図である。
【符号の説明】
【００２２】
１    埋込型装飾灯器具
２    器具本体
３    開口部
４    飾り木
５    上溝
６    下溝
７    置台
Ｄ    装飾用プレート
Ｅ    光源
Ｗ    壁
【図１】
0003104169.tif 000003
【図２】
0003104169.tif 000004
【図３】
0003104169.tif 000005
【図４】
0003104169.tif 000006
【図５】
0003104169.tif 000007